(57)【要約】【課題】番組視聴中に健康機器で測定した健康情報を送信して記録する際に、健康情報を受信したことを、番組視聴を妨げることなくユーザーが認識可能なテレビジョン受信機を提供することを目的とする。【解決手段】テレビジョン受信機１００は、無線通信を行う機能を有する外部の健康機器１３１と接続可能な無線インターフェイス１２７と、無線インターフェイス１２７に接続された健康機器１３１から受信した健康情報を記憶する健康情報記憶部１２８と、無線インターフェイス１２７を制御するマイコン１２０とを備えている。マイコン１２０は、予め設定された特定時間帯のみ健康機器１３１との接続状態または接続待機状態を保持するように無線インターフェイス１２７を制御する。【選択図】図１
2018050321.tif 000002
【特許請求の範囲】
【請求項１】
無線通信を行う機能を有する外部の健康機器と接続可能な無線インターフェイスと、
前記無線インターフェイスに接続された前記健康機器から受信した健康情報を記憶する健康情報記憶部と、
前記無線インターフェイスを制御する制御部と、
を備え、
前記制御部は、予め設定された特定時間帯のみ前記健康機器との接続状態または接続待機状態を保持するように前記無線インターフェイスを制御する、テレビジョン受信機。
【請求項２】
前記特定時間帯は、曜日または日付によって設定が変更される、請求項１記載のテレビジョン受信機。
【請求項３】
前記特定時間帯は、前記健康機器から前記健康情報を受信した時刻に応じて設定が変更される、請求項１または請求項２記載のテレビジョン受信機。
【発明の詳細な説明】
【技術分野】
【０００１】
本発明は、健康機器で取得した健康情報を取り込んで記録し、管理することができるテレビジョン受信機に関するものである。
【背景技術】
【０００２】
近年の健康意識の向上により、活動量計、体組成計などの健康機器が家庭に普及してきた。当該活動量計は、歩数を測定（計測）する機能に加え、カロリーの計算機能などを有する。当該体組成計は、体重を測定する機能に加え、体脂肪率、内臓脂肪、筋肉量、骨量などを簡易的に測定する機能を有する。
【０００３】
これらの健康機器は、一般的に、小さなディスプレイしか有していない。そのため、視認性を向上するために、当該健康機器で測定した健康情報を、テレビジョン受信機、パーソナルコンピュータ等を利用して管理したり、表示したりすることがある。
【０００４】
テレビジョン受信機の本来の機能は、デジタルテレビ放送波等を受信して、映像をディスプレイで表示し、音声をスピーカーで出力する機能である。当該デジタルテレビ放送波とは、地上波または衛星を使用して放送される電波である。なお、テレビジョン受信機は、家庭内において最も普及しているディスプレイ装置である。そのため、テレビジョン受信機は、番組だけでなく様々な情報を表示する表示機器としても用いられる（例えば特許文献１参照）。
【０００５】
また、近年のテレビジョン受信機は、マイクロコンピュータ（以下「マイコン」という）およびメモリを内蔵しているため、健康情報を表示するだけでなく、健康情報管理機器としても使用することが可能である。
【０００６】
従来の健康情報管理機器においては、健康機器と接続され、健康情報の測定が行われるたび、または予め定められたタイミングで健康情報を送信する。また、健康情報管理機器と健康機器とは、有線または無線の接続手段を用いて常時接続または健康情報送信の都度、接続される技術が知られている（例えば特許文献２参照）。
【先行技術文献】
【特許文献】
【０００７】
【特許文献１】特開２００３−２３５８３４号公報
【特許文献２】特開２０１０−５７５５２号公報
【発明の概要】
【発明が解決しようとする課題】
【０００８】
しかし、特許文献１に記載の健康管理装置では、テレビジョン受信機は外部メモリに格納された生体データを表示するだけの機能しか有しておらず、番組視聴中に健康機器から健康情報を受信して管理することはできない。
【０００９】
また、特許文献２に記載の生体指標管理装置では、健康管理専用機器として使用され、使用者が任意に健康情報を送信することを前提としているため、家庭用のテレビジョン受信機に応用するには、より使いやすく、本来のテレビジョン受信機能と共存する手法が必要とされる。
【００１０】
そこで、本発明は、番組視聴中に健康機器で測定した健康情報を送信して記録する際に、健康情報を受信したことをユーザーが認識可能なテレビジョン受信機を提供することを目的とする。
【課題を解決するための手段】
【００１１】
本発明に係るテレビジョン受信機は、無線通信を行う機能を有する外部の健康機器と接続可能な無線インターフェイスと、前記無線インターフェイスに接続された前記健康機器から受信した健康情報を記憶する健康情報記憶部と、前記無線インターフェイスを制御する制御部とを備え、前記制御部は、予め設定された特定時間帯のみ前記健康機器との接続状態または接続待機状態を保持するように前記無線インターフェイスを制御するものである。
【発明の効果】
【００１２】
本発明によれば、テレビジョン受信機は、無線通信を行う機能を有する外部の健康機器と接続可能な無線インターフェイスと、無線インターフェイスに接続された健康機器から受信した健康情報を記憶する健康情報記憶部と、無線インターフェイスを制御する制御部とを備え、制御部は、予め設定された特定時間帯のみ健康機器との接続状態または接続待機状態を保持するように無線インターフェイスを制御する。したがって、ユーザーも健康情報の受信が完了したことを視認することができる。
【図面の簡単な説明】
【００１３】
【図１】本発明の実施の形態１に係るテレビジョン受信機と健康機器とを示す概略ブロック図である。
【図２】本発明の実施の形態１に係るテレビジョン受信機および健康機器の外観を簡易的に示す図である。
【図３】本発明の実施の形態１に係るテレビジョン受信機の表示部が表示する健康管理画像の一例を示す図である。
【図４】健康機器との接続確立および接続解除処理のフローチャートである。
【発明を実施するための形態】
【００１４】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１５】
＜実施の形態１＞
（装置構成）
図１は、本発明の実施の形態１に係るテレビジョン受信機１００と健康機器１３０，１３１とを示す概略ブロック図である。なお、図１では、説明のために、テレビジョン受信機１００に含まれないアンテナ１０１と操作指示送信部２００も示している。操作指示送信部２００は、ユーザーにより操作される装置である。操作指示送信部２００は、例えば、リモコン、赤外線送信機等である。なお、アンテナ１０１についてはテレビジョン受信機１００を説明する際に説明することとする。
【００１６】
図２は、本発明の実施の形態１に係るテレビジョン受信機１００および健康機器１３０，１３１の外観を簡易的に示す図である。
【００１７】
なお、本明細書において、番組とは、映像で表現される映像コンテンツであるとする。当該番組は、例えば、デジタル放送の規格に従った番組である。
【００１８】
図１を参照して、テレビジョン受信機１００は、チューナ部１０２と、ＴＳ（Transport Stream）デコーダ１０４と、ＡＶ（Audio Video）デコーダ１０６と、グラフィックス重畳部１０９（重畳部）と、効果音重畳部１１０（重畳部）と、ＡＶ制御部１１３と、表示部１１４と、音声出力部１１５と、マイコン１２０（制御部）と、ＲＯＭ（Read Only Memory）１２１と、ＲＡＭ（Random Access Memory）１２２と、バス１２３と、健康情報記憶部１２８と、有線インターフェイス１２６と、無線インターフェイス１２７と、操作指示受信部１２５とを備える。
【００１９】
アンテナ１０１は、放送波としてのＲＦ（Radio Frequency）信号を受信する。ＲＦ信号は、複数のチャンネルの番組を示すＴＳを含む。すなわち、ＲＦ信号は、映像（映像コンテンツ）である番組を含む。アンテナ１０１は、チューナ部１０２に接続される。
【００２０】
バス１２３には、チューナ部１０２、ＴＳデコーダ１０４、ＡＶデコーダ１０６、グラフィックス重畳部１０９、効果音重畳部１１０、ＡＶ制御部１１３およびマイコン１２０が接続される。チューナ部１０２、ＴＳデコーダ１０４、ＡＶデコーダ１０６、グラフィックス重畳部１０９、効果音重畳部１１０およびＡＶ制御部１１３は、バス１２３を介して、マイコン１２０により制御可能に構成されている。
【００２１】
チューナ部１０２は、アンテナ１０１から、番組を含むＲＦ信号を受信する。そして、チューナ部１０２は、ＲＦ信号に対し、任意の放送電波周波数に対する同調処理、復調処理等を行うことにより、当該ＲＦ信号からＴＳ（Transport Stream）を抽出する。そして、チューナ部１０２は、抽出したＴＳを、ＴＳデコーダ１０４へ送信する。当該ＴＳは、受信に必要な情報を示すパーシャルＴＳを含む。パーシャルＴＳは、特定のチャンネルの番組を含む。
【００２２】
ＴＳデコーダ１０４は、受信したＴＳからパーシャルＴＳを抽出し、当該パーシャルＴＳを、ＡＶデコーダ１０６へ送信する。
【００２３】
ＡＶデコーダ１０６は、受信したパーシャルＴＳをデコードすることにより、映像信号ＳＧＶおよび音声信号ＳＧＡを得る。そして、ＡＶデコーダ１０６は、映像信号ＳＧＶをグラフィックス重畳部１０９へ送信する。また、ＡＶデコーダ１０６は、音声信号ＳＧＡを効果音重畳部１１０へ送信する。
【００２４】
グラフィックス重畳部１０９は、必要に応じて、映像信号ＳＧＶが示す映像に、例えば、グラフィックス画像を重畳（オーバーレイ）する。そして、グラフィックス重畳部１０９は、重畳された映像を示す映像信号を、ＡＶ制御部１１３へ送信する。なお、グラフィックス重畳部１０９は、映像信号ＳＧＶを、そのまま、ＡＶ制御部１１３へ送信する場合もある。
【００２５】
効果音重畳部１１０は、必要に応じて、音声信号ＳＧＡが示す音声に、所定の効果音を重畳し、重畳された音声を示す音声信号を、ＡＶ制御部１１３へ送信する。なお、効果音重畳部１１０は、音声信号ＳＧＡを、そのまま、ＡＶ制御部１１３へ送信する場合もある。
【００２６】
表示部１１４は、番組（映像）を表示する機能を有する。表示部１１４は、例えば、液晶パネルである。図２に示されるように、表示部１１４は、映像を表示するための画面１１４ａを有する。音声出力部１１５は、例えば、スピーカーである。なお、表示部１１４と音声出力部１１５が、グラフィックス重畳部１０９または効果音重畳部１１０からの出力信号を映像または音声として出力する出力部に相当する。
【００２７】
ＡＶ制御部１１３は、受信した映像信号に基づく映像を表示部１１４に表示させる制御と、受信した音声信号に基づく音声を音声出力部１１５から出力させる制御とを行う。
【００２８】
バス１２３には、さらに、ＲＯＭ１２１、ＲＡＭ１２２、健康情報記憶部１２８、有線インターフェイス１２６、無線インターフェイス１２７および操作指示受信部１２５が接続される。ＲＯＭ１２１、ＲＡＭ１２２、健康情報記憶部１２８、有線インターフェイス１２６、無線インターフェイス１２７および操作指示受信部１２５は、バス１２３を介して、マイコン１２０により制御可能に構成されている。
【００２９】
ＲＯＭ１２１は、プログラムを格納する。
【００３０】
有線インターフェイス１２６は、有線により外部の装置と通信する機能を有する。有線インターフェイス１２６は、例えば、ＵＳＢ（Universal Serial Bus）インターフェイスである。無線インターフェイス１２７は、詳細は後述するが、無線により外部の装置と通信する機能を有する。
【００３１】
健康情報記憶部１２８は、詳細は後述するが、情報等を記憶するメモリである。なお、健康情報記憶部１２８は、ＲＯＭ１２１の一部として構成してもよい。
【００３２】
操作指示送信部２００は、前述したように、例えば、リモコン、赤外線送信機等である。操作指示送信部２００には、図示しない複数のキーが設けられる。操作指示送信部２００に設けられるキーは、例えば、電源キー、数字キー等である。操作指示送信部２００に設けられた各キーには、異なるキーコードが割当てられる。例えば、電源キーのキーコードは、テレビジョン受信機１００の電源をオンにするためのキーコードである。
【００３３】
操作指示送信部２００に設けられた各キーのいずれかをユーザーが押下した場合、操作指示送信部２００に含まれる赤外線送信部（図示せず）は、キーコードを、操作指示受信部１２５へ送信する。当該キーコードは、押下されたキーを特定するためのコードである。すなわち、操作指示送信部２００は、ユーザーによる操作により、無線通信を使用して、操作指示としてのキーコードを操作指示受信部１２５へ送信する。すなわち、キーコードは、ユーザーによる指示（以下、操作指示ともいう）である。
【００３４】
操作指示受信部１２５は、操作指示送信部２００から送信されるキーコード（操作指示）を受信し、当該キーコードを、バス１２３を介して、マイコン１２０へ送信する。
【００３５】
（装置の動作）
次に、テレビジョン受信機１００の動作について説明する。一例として、番組視聴時におけるテレビジョン受信機１００の動作について説明する。
【００３６】
（番組視聴時の動作）
テレビジョン受信機１００を使用して、例えば、デジタル放送の番組の視聴が開始される場合について説明する。まず、ユーザーは、操作指示送信部２００の電源キーを押下する。これにより、操作指示送信部２００は、電源キーに割当てられたキーコードを、テレビジョン受信機１００へ送信する。操作指示受信部１２５は、操作指示送信部２００から送信されたキーコードを受信すると、当該キーコードを、マイコン１２０へ送信する。
【００３７】
マイコン１２０は、受信したキーコードが、電源キーのキーコードであることを認識した場合、テレビジョン受信機１００内に設けられた電源回路（図示せず）を起動し、夫々の回路に電源を供給するための処理を行う。
【００３８】
マイコン１２０は、チューナ部１０２が、任意のチャンネル周波数に同調し、復調処理を行うように、チューナ部１０２を制御する。任意のチャンネル周波数とは、例えば、前回の視聴の最後に選択されていたチャンネルの周波数である。
【００３９】
復調処理が完了すると、マイコン１２０は、ＴＳデコーダ１０４が処理対象のＴＳから、ＰＳＩ（Program Specific Information）を抽出して解析する。ＰＳＩとは、番組を特定するための情報である。
【００４０】
そして、マイコン１２０は、ＴＳデコーダ１０４が、ＰＳＩにより特定された番組の映像信号および音声信号を示すデータパケットをフィルタリングして、パーシャルＴＳを生成するよう、ＴＳデコーダ１０４を制御する。そして、ＴＳデコーダ１０４は、マイコン１２０の制御に従い、生成したパーシャルＴＳをＡＶデコーダ１０６へ送信する。
【００４１】
次に、マイコン１２０は、ＡＶデコーダ１０６が、パーシャルＴＳから映像信号ＳＧＶおよび音声信号ＳＧＡを生成するように、ＡＶデコーダ１０６を制御する。ここで、パーシャルＴＳには、デジタル放送の映像信号および音声信号が含まれる。
【００４２】
デジタル放送の映像音声は、例えば、ＭＰＥＧ（Moving Pictures Experts Group）２方式により圧縮されている。また、デジタル放送の音声信号は、ＡＡＣ（Advanced Audio Coding）方式により圧縮されている。そのため、ＡＶデコーダ１０６は、当該ＡＶデコーダ１０６に内蔵されたＭＰＥＧ２デコーダおよびＡＡＣデコーダを使用して、パーシャルＴＳに含まれる映像信号および音声信号を、非圧縮の映像信号および音声信号に復号する。すなわち、ＡＶデコーダ１０６は、パーシャルＴＳに含まれる映像信号および音声信号をデコードすることにより、映像信号ＳＧＶおよび音声信号ＳＧＡを得る。
【００４３】
そして、ＡＶデコーダ１０６は、マイコン１２０の制御に従い、映像信号ＳＧＶを、グラフィックス重畳部１０９へ送信する。また、ＡＶデコーダ１０６は、音声信号ＳＧＡを効果音重畳部１１０へ送信する。
【００４４】
次に、マイコン１２０は、グラフィックス重畳部１０９が、映像信号ＳＧＶが示す映像に、グラフィックス画像を重畳するよう、グラフィックス重畳部１０９を制御する。なお、テレビジョン受信機１００の起動時において、重畳されるグラフィックス画像は、例えば、ＴＳに含まれるＳＩ（Service Information）情報から取得した局名情報、番組名などを示す画像である。グラフィックス重畳部１０９は、マイコン１２０の制御に従い、重畳された映像を示す映像信号を、ＡＶ制御部１１３へ送信する。
【００４５】
また、マイコン１２０は、効果音重畳部１１０が、音声信号ＳＧＡが示す音声に所定の効果音を重畳するよう、効果音重畳部１１０を制御する。なお、テレビジョン受信機１００の起動時において、重畳される効果音は、例えば、ユーザーに起動を通知するための音声、ビープ音などである。効果音重畳部１１０は、マイコン１２０の制御に従い、重畳された音声を示す音声信号を、ＡＶ制御部１１３へ送信する。
【００４６】
また、マイコン１２０は、ＡＶ制御部１１３が、受信した映像信号に基づく映像を表示部１１４が表示するための映像駆動信号を生成するように、ＡＶ制御部１１３を制御する。ＡＶ制御部１１３は、マイコン１２０の制御に従い、映像駆動信号を、表示部１１４へ送信する。表示部１１４は、映像駆動信号に基づく映像（番組）を表示する。
【００４７】
また、マイコン１２０は、ＡＶ制御部１１３が、受信した音声信号に基づく音声を、音声出力部１１５が出力するための音声駆動信号を生成するように、ＡＶ制御部１１３を制御する。ＡＶ制御部１１３は、マイコン１２０の制御に従い、音声駆動信号を、音声出力部１１５へ送信する。音声出力部１１５は、音声駆動信号に基づく音声を出力する。
【００４８】
以上により、テレビジョン受信機１００は、ユーザーに対し、現在放送されている番組の映像および音声を提示する。
【００４９】
ここで、ユーザーが、テレビジョン受信機１００が表示している番組を、任意のチャンネルの番組に変更することを望むとする。この場合、ユーザーは、操作指示送信部２００の所定キー（例えば、数字キー）を押下する。これにより、数字キーのキーコードが操作指示受信部１２５を経由してマイコン１２０に送信される。マイコン１２０は、受信したキーコードが数字キーのキーコードである事を認識する。そして、マイコン１２０は、ユーザーが指示したチャンネル周波数に同調させ、復調処理を開始するように、チューナ部１０２を制御する。復調処理以降の処理は、上述した視聴開始時における処理と同様である。
【００５０】
（健康情報受信）
次に、テレビジョン受信機１００を使用した、健康情報の受信および記録について説明する。ここで、健康情報とは、ユーザーの健康に関連する情報である。健康情報は、例えば、ユーザーの活動量、ユーザーの体組成等である。実施の形態１に係るテレビジョン受信機１００は、デジタル放送などを受信して、番組を表示部１１４で表示したり、音声出力部１１５から当該番組の音声を出力したりするだけでなく、健康情報を管理する機能を有する。
【００５１】
図１において、健康機器１３０，１３１は、テレビジョン受信機１００の外部に設けられている。健康機器１３０は、ユーザーが身につけることが可能な小型の機器である。健康機器１３０は、健康情報として、ユーザーの活動量を測定する機能を有する活動量計である。ユーザーの活動量とは、ユーザーの歩数、ユーザーの消費カロリー等である。すなわち、健康情報は、ユーザーの歩数、消費カロリー等である。
【００５２】
具体的には、健康機器１３０は、小型の角速度センサ（図示せず）などを内蔵している。健康機器１３０は、当該健康機器１３０をユーザーが身につけておくことで、角速度センサを利用して、ユーザーの歩数を測定するだけでなく、年齢、性別および身長などのプロフィール情報を予め設定しておくことで、消費カロリーなどを計算することができる。
【００５３】
健康機器１３０は、さらに、メモリ（図示せず）を含み、当該メモリには、プロフィール情報が記憶されるとともに、ユーザーの歩数、消費カロリーなどの健康情報が一時的に記憶される。
【００５４】
また、健康機器１３０は、テレビジョン受信機１００と通信する機能を有する。具体的には、健康機器１３０は、有線インターフェイス１２６と有線により通信する機能を有する。健康機器１３０には、当該健康機器１３０を、有線インターフェイス１２６に接続するためのＵＳＢ端子（図示せず）が設けられる。
【００５５】
健康機器１３０は、有線インターフェイス１２６に接続された場合、健康機器１３０のメモリに記憶されている健康情報（ユーザーの歩数および消費カロリー）を、有線インターフェイス１２６へ送信する。これにより、テレビジョン受信機１００の有線インターフェイス１２６は、健康情報（ユーザーの歩数および消費カロリー）を受信する。すなわち、有線インターフェイス１２６は、健康機器１３０から、健康情報を受信する受信部である。
【００５６】
そして、マイコン１２０は、受信した健康情報を、健康情報記憶部１２８に記憶させる。
【００５７】
健康機器１３１は、健康情報として、ユーザーの体組成を測定する機能を有する体組成計である。体組成とは、体重、体脂肪率、内臓脂肪、筋肉量、骨量などである。具体的には、健康機器１３１は、人間（ユーザー）の体内のインピーダンスを測定可能な装置などを内蔵する。
【００５８】
健康機器１３１は、年齢、性別および身長などのプロフィール情報を予め設定した状態で体重を測定することで、体脂肪率、内臓脂肪、筋肉量、骨量などを測定することができる。
【００５９】
健康機器１３１は、さらに、メモリ（図示せず）を含み、当該メモリには、プロフィール情報が記憶されるとともに、体重、体脂肪率、内臓脂肪、筋肉量、骨量などの健康情報が一時的に記憶される。
【００６０】
また、健康機器１３１は、テレビジョン受信機１００と通信する機能を有する。健康機器１３１は、無線規格に従った無線通信を行う機能を有する。当該無線規格は、例えば、Ｂｌｕｅｔｏｏｔｈ（登録商標）等の規格である。健康機器１３１は、無線通信を行うための無線インターフェイス（図示せず）を有する。
【００６１】
健康機器１３１は、無線通信を行って、無線インターフェイス１２７と通信する。例えば、健康機器１３１は、無線通信を行って、健康機器１３１のメモリに記憶されている健康情報（例えば、体重、体脂肪率、内臓脂肪、筋肉量、骨量）を、無線インターフェイス１２７へ送信する。これにより、テレビジョン受信機１００は、健康情報（例えば、体重、体脂肪率、内臓脂肪、筋肉量、骨量）を受信する。マイコン１２０は、受信した健康情報を、健康情報記憶部１２８に記憶させる。
【００６２】
健康機器１３０が測定した歩数などの健康情報を、テレビジョン受信機１００へ送信（転送）するためには、健康情報が一時的に記憶された健康機器１３０のＵＳＢ端子を、有線インターフェイス１２６に接続する。
【００６３】
再び、図２を参照して、テレビジョン受信機１００の側面には、さらに、健康機器１３０を接続するための接続端子（図示せず）が設けられる。当該接続端子は、例えば、ＵＳＢ端子である。
【００６４】
次に、テレビジョン受信機１００にて番組視聴中に、健康機器１３０で測定した健康情報をテレビジョン受信機１００に転送（送信）する場合の処理について説明する。テレビジョン受信機１００の接続端子に健康機器１３０が接続された場合、有線インターフェイス１２６は当該接続を検知し、検知した旨を、マイコン１２０へ伝達する。
【００６５】
この場合、マイコン１２０は、有線インターフェイス１２６を制御して、健康機器１３０のメモリに記憶されている健康情報を取得する。そして、マイコン１２０は、取得した健康情報を、健康情報記憶部１２８に記憶させる。このとき、マイコン１２０は、グラフィックス重畳部１０９または効果音重畳部１１０を制御して、表示部１１４または音声出力部１１５に健康情報を受信した旨を示す健康情報取得メッセージを出力させる。ここで、健康情報取得メッセージは、テキスト、アイコン、合成音声のうちの少なくとも１つを使用して生成される。例えば、図１と図２に示すように、マイコン１２０は、表示部１１４の画面１１４ａにおいて番組映像の表示を継続させるとともに、画面１１４ａ上の一部の領域に健康情報取得メッセージとしてテキストメッセージ２０２を重畳して表示させる。
【００６６】
また、図１と図２に示すように、マイコン１２０は、表示部１１４の画面１１４ａにおいて番組映像の表示を継続させるとともに、番組音声に健康情報取得メッセージとして合成音声メッセージ２０３を重畳して音声出力部１１５に出力させる。なお、マイコン１２０は、テキストメッセージ２０２と合成音声メッセージ２０３を同時に出力させずに、テキストメッセージ２０２のみまたは合成音声メッセージ２０３のみ出力させてもよい。さらに、マイコン１２０は、アイコンメッセージ（図示せず）を画面１１４ａ上の一部の領域に表示させてもよく、マイコン１２０は、アイコンメッセージをテキストメッセージ２０２または合成音声メッセージ２０３と同時に、またはアイコンメッセージのみを出力させてもよい。
【００６７】
次に、テレビジョン受信機１００にて番組視聴中に、健康機器１３１で測定した体重などの健康情報をテレビジョン受信機１００に転送（送信）する場合の処理について説明する。健康機器１３１で測定された健康情報を、テレビジョン受信機１００へ送信するためには、当該健康情報が一時的に記憶された健康機器１３１の無線インターフェイスから、テレビジョン受信機１００の無線インターフェイス１２７に対して、体重などの健康情報を示す無線信号が送信される。
【００６８】
図２において、テレビジョン受信機１００の前面には、例えば、無線アンテナ（図示せず）が設けられる。無線インターフェイス１２７は、当該無線アンテナを介して、健康機器１３１から送信される無線信号を受信する。すなわち、無線インターフェイス１２７は、健康機器１３１から、無線信号が示す健康情報を受信する受信部である。
【００６９】
無線インターフェイス１２７は、無線信号の受信を検知した場合、検知した旨を、バス１２３を介して、マイコン１２０へ伝達する。この場合、マイコン１２０は、無線インターフェイス１２７を制御して、当該無線信号を解析し、無線信号に含まれた健康情報を取得する。そして、マイコン１２０は、取得した健康情報を、健康情報記憶部１２８に記憶させる。このとき、マイコン１２０は、グラフィックス重畳部１０９または効果音重畳部１１０を制御して、表示部１１４または音声出力部１１５に健康情報を受信した旨を示す健康情報取得メッセージを出力させる。ここで、健康情報取得メッセージは、テキスト、アイコン、合成音声のうちの少なくとも１つを使用して生成される。例えば、図１と図２に示すように、マイコン１２０は、表示部１１４の画面１１４ａにおいて番組映像の表示を継続させるとともに、画面１１４ａ上の一部の領域に健康情報取得メッセージとしてテキストメッセージ２０２を重畳して表示させる。
【００７０】
また、図１と図２に示すように、マイコン１２０は、表示部１１４の画面１１４ａにおいて番組映像の表示を継続させるとともに、番組音声に健康情報取得メッセージとして合成音声メッセージ２０３を重畳して音声出力部１１５に出力させる。なお、マイコン１２０は、テキストメッセージ２０２と合成音声メッセージ２０３を同時に出力させずに、テキストメッセージ２０２のみまたは合成音声メッセージ２０３のみ出力させてもよい。さらに、マイコン１２０は、アイコンメッセージ（図示せず）を画面１１４ａ上の一部の領域に表示させてもよく、マイコン１２０は、アイコンメッセージをテキストメッセージ２０２または合成音声メッセージ２０３と同時に、またはアイコンメッセージのみを出力させてもよい。
【００７１】
健康機器１３０または健康機器１３１から健康情報を取得したときに表示されるテキストメッセージ２０２は、表示部１１４の画面１１４ａに対して十分小さく、また、画面１１４ａの中央部分に表示されないように、例えば画面１１４ａにおいて右側の下端部に重畳して表示される。ここで、健康情報取得メッセージは、一定時間表示した後に自動的に出力を終了するように制御される。すなわち、グラフィックス重畳部１０９による映像信号、または効果音重畳部１１０による音声信号に対する健康情報取得メッセージの重畳は、有線インターフェイス１２６に健康機器１３０が接続され、健康情報が受信されてから一定時間経過するまでの間行われるとともに、無線インターフェイス１２７に健康機器１３１が接続され、健康情報が受信されてから一定時間経過するまでの間行われる。
【００７２】
なお、ユーザーが、操作指示送信部２００を使用して所定の操作を行ったときに健康情報取得メッセージの出力を終了するようにしてもよい。また、健康機器１３０から健康情報を取得した場合と、健康機器１３１から健康情報を取得した場合とで健康情報取得メッセージの内容を変更してもよい。また、健康情報を受信したときではなく、受信した健康情報を健康情報記憶部１２８に記憶したときに健康情報取得メッセージを出力するようにしてもよい。
【００７３】
一般的にテレビジョン受信機１００は家庭内で複数の家族によって視聴されるが、健康情報の測定および管理は、あくまでユーザー個人で実施される場合が多い。したがって、ユーザーが測定した健康情報のテレビジョン受信機１００への転送中および記録中は、ユーザー以外の家族の番組視聴を妨げないことが望ましい。特にテレビジョン受信機１００は居間などに設置される場合が多いが、健康機器１３１は浴室など離れた場所に設置されていることが多いため、測定時にユーザー以外の家族が視聴をしているかどうかを判断できない場合もある。一方で、ユーザーは、測定した健康情報がテレビジョン受信機１００に確実に記録されたかどうかを確認する手段も必要であり、健康情報を受信したことを示す健康情報取得メッセージであるテキストメッセージ２０２を、番組視聴を妨げないように画面１１４ａの一部の領域にのみ表示させることで、両方の要求を満たすことができる。また、合成音声メッセージ２０３を用いれば、ユーザーはテレビジョン受信機１００から離れていても健康情報が正常に受信できたことを認識することができる。
【００７４】
次に、健康情報を表示した健康管理画像について説明する。図３は、本発明の実施の形態１に係るテレビジョン受信機１００の表示部１１４が表示する健康管理画像の一例を示す。図３（ａ）は、健康管理画像Ｇ１１の一例を示す。健康管理画像Ｇ１１は、健康機器１３１により測定され、健康情報記憶部１２８に記憶された健康情報を利用して、体重および体脂肪率の推移を示している。
【００７５】
図３（ｂ）は、健康管理画像Ｇ１０の一例を示す。健康管理画像Ｇ１０は、健康機器１３０により測定され、健康情報記憶部１２８に記憶された健康情報を利用して、歩数および消費カロリーの推移を示している。
【００７６】
健康管理画像Ｇ１０，Ｇ１１の各々は、例えば、操作指示送信部２００に設けられた所定キーをユーザーが操作することにより、テレビジョン受信機１００の表示部１１４が表示するように構成される。なお、外部の健康機器から、どのような情報を取得して、どのように表示するかは、健康管理画像Ｇ１０，Ｇ１１の形態に限定されない。
【００７７】
（健康機器接続）
次に、テレビジョン受信機１００における健康機器１３１との接続確立および接続解除処理について説明する。図４は、健康機器１３１との接続確立および接続解除処理のフローチャートである。図１において、有線インターフェイス１２６は、健康機器１３０が、テレビジョン受信機１００に接続されている間だけ通電して接続状態にすることで、テレビジョン受信機１００における接続待機状態の消費電力を最小化することができる。
【００７８】
一方、通常、健康機器１３１がテレビジョン受信機１００から離れた場所に設置され、無線インターフェイス１２７は、健康機器１３１がテレビジョン受信機１００と常時接続または接続待機しているとテレビジョン受信機１００の消費電力が増大する。これとは逆に、通常は接続を解除しておき、健康機器１３１から健康情報を転送する前に、無線インターフェイス１２７に通電して接続状態にするようにすると、接続状態に移行するまでに時間を要する上に、ユーザーの操作が必要になる。本実施の形態１では、無線インターフェイス１２７を特定時間帯のみ通電し、健康機器１３１と無線接続待機状態にしておくことで、テレビジョン受信機１００における接続待機状態の消費電力を低減する。
【００７９】
図４に示すように、テレビジョン受信機１００が健康機器１３１からの健康情報の受信を開始すると、マイコン１２０は、先ず現在時刻を取得する（ステップＳ４０１）。一般に、テレビジョン受信機は、デジタル放送波から時刻情報を取得することが可能であるため、マイコン１２０は常に現在時刻を把握することができる。
【００８０】
次に、マイコン１２０は、取得した現在時刻が特定時間帯に含まれるかどうかを確認する（ステップＳ４０２）。取得した現在時刻が特定時間帯に含まれる場合には（ステップＳ４０２においてＹＥＳ）、マイコン１２０は、無線インターフェイス１２７に通電して、健康機器１３１との無線接続を待機状態に設定する（ステップＳ４０３）。一方、取得した現在時刻が特定時間帯に含まれない場合（ステップＳ４０２においてＮＯ）、マイコン１２０は、無線インターフェイス１２７に通電せず、健康機器１３１との無線接続待機状態を解除し（ステップＳ４０４）、現在時刻の取得処理（ステップＳ４０１）に戻る。
【００８１】
ステップＳ４０３において、テレビジョン受信機１００と健康機器１３１との無線接続が待機状態に設定されると、マイコン１２０は、健康機器１３１からの接続要求の受信を待つ（ステップＳ４０５）。健康機器１３１から接続要求を受信した場合（ステップＳ４０５においてＹＥＳ）、マイコン１２０は、健康機器１３１との無線接続を確立する（ステップＳ４０６）。一方、健康機器１３１から接続要求を受信できなかった場合（ステップＳ４０５においてＮＯ）、現在時刻の取得処理（ステップＳ４０１）に戻る。ステップＳ４０６において、テレビジョン受信機１００と健康機器１３１との無線接続が確立されると、マイコン１２０は、健康機器１３１からの健康情報受信処理に移行する（ステップＳ４０７）。健康機器１３１から健康情報を受信できた場合は（ステップＳ４０７においてＹＥＳ）、マイコン１２０は、受信した健康情報を健康情報記憶部１２８に記憶させた後（ステップＳ４０８）、健康機器１３１からの接続解除要求受信処理に移行する（ステップＳ４０９）。健康機器１３１から接続解除要求を受信した場合（ステップＳ４０９においてＹＥＳ）、マイコン１２０は、健康機器１３１との無線接続を解除し（ステップＳ４０６）、一連の健康情報の受信処理を終了する。
【００８２】
上記のように、マイコン１２０は、現在時刻が特定時間帯であれば、健康機器１３１との無線接続待機状態にして健康情報の受信待機状態となり、現在時刻が特定時間帯以外であれば、健康機器１３１との無線接続待機状態を解除する。無線接続待機中は、無線インターフェイス１２７を動作状態にしておかなければならず、無線接続を常時待機状態にしていると、結果としてテレビジョン受信機１００の消費電力が増大するため、特定時間帯のみ無線接続待機状態とすることで、テレビジョン受信機１００の接続待機状態の消費電力を削減することができる。
【００８３】
ここで、特定時間帯選定方法の１つとして、１日の中でユーザーが健康機器１３１を使用する時間帯を選ぶ方法がある。詳細に説明すると、特定時間帯は、２４時間よりも短い時間帯であり、かつ、開始時刻と終了時刻とで構成されている。そして、特定時間帯を構成する開始時刻と終了時刻は、例えばＲＡＭ１２２に記憶されている。特定時間帯を１８：００（開始時刻）から２４：００（終了時刻）までとすると、マイコン１２０は、その時間帯のみ健康機器１３１との無線接続待機状態にしてテレビジョン受信機１００を健康情報の受信待機状態とすることで、無線接続を常時確立する場合に比較して、テレビジョン受信機１００における接続待機状態の消費電力を削減することができる。
【００８４】
さらに、マイコン１２０は、ユーザーの生活リズムに合わせて、曜日または季節によって特定時間帯の選定を変更するようにしてもよいし、または実際に健康情報を受信した時刻を、例えばＲＡＭ１２２に記憶させて、当該受信時刻に基づいて特定時間帯を自動的に調整するようにしてもよい。
【００８５】
また、特定時間帯選定の別方法として、マイコン１２０は、ユーザーの機器操作をトリガーとして、機器操作を実施した時点から一定時間経過するまでの時間帯を特定時間帯として設定するようにしてもよい。ユーザーの機器操作としては、健康機器１３１とは異なる外部機器の操作とし、例えば健康機器１３１を設置している部屋（浴室である場合が多い）の照明機器操作をトリガーとする方法がある。この場合は、テレビジョン受信機１００と照明機器間をＬＡＮ（Local Area Network）などで接続されているものとする。ユーザーが健康機器１３１を使用する可能性がある時間帯に限定して、健康機器１３１との無線接続待機状態にして健康情報の受信待機状態とすることで、無線接続を常時確立または接続待機する場合と比較して、テレビジョン受信機１００における接続待機状態の消費電力を削減することができる。もちろん、照明機器には限定されず、マイコン１２０によって機器操作を検知できれば、トリガーとして使用することができる。
【００８６】
または、ユーザーが第三者とテレビジョン受信機１００を共用していなければ、テレビジョン受信機１００に対する特定操作を実施した時点から、一定時間経過するまでの時間帯に限定して、マイコン１２０は、健康機器１３１との無線接続を待機状態として健康情報の受信待機状態としてもよい。例えば、テレビジョン受信機１００に対する特定操作として、操作指示送信部１２４を用いてテレビジョン受信機１００の電源をオフした後、マイコン１２０は、健康機器１３１との無線接続を一定時間待機状態とする。テレビジョン受信機１００は、電源をオフした後でも内部のマイコン１２０および無線インターフェイス１２７の動作を継続することができるので、健康機器１３１との無線接続待機状態にすることは可能である。例えば、ユーザーは、ユーザー以外の家族がいなければ、浴室等に設置された健康機器１３１で測定を行う前にテレビジョン受信機１００の電源をオフする。その場合でもテレビジョン受信機１００は、健康機器１３１との無線接続待機状態になっているため、健康機器１３１で測定した健康情報を受信することができる。なお、テレビジョン受信機１００に対する特定操作は電源オフ操作に限定されず、テレビジョン受信機１００に対する他の操作であってもよい。
【００８７】
以上のように、実施の形態１に係るテレビジョン受信機１００では、有線インターフェイス１２６に健康機器１３０が接続され健康情報が受信されたとき、または無線インターフェイス１２７に健康機器１３１が接続され健康情報が受信されたとき、マイコン１２０は、健康情報を受信した旨を示す健康情報受信メッセージを映像信号または音声信号に重畳するようにグラフィックス重畳部１０９または効果音重畳部１１０を制御するため、健康情報受信メッセージを視聴中の番組の映像または音声に重畳することができる。そのため、番組視聴中に健康機器１３０からの健康情報を受信したときにおいても、ユーザーは番組視聴を継続して行うことができるとともに、健康情報を受信したことを認識することができる。
【００８８】
出力部は、グラフィックス重畳部１０９からの出力信号を映像として表示する表示部１１４を備え、マイコン１２０は、映像信号による映像を表示部１１４に表示中に、健康機器１３０または健康機器１３１から健康情報を受信したとき、映像の表示を継続させるとともに、表示部１１４における一部の領域に健康情報受信メッセージを重畳して表示させるため、ユーザー以外の番組視聴を妨げることなく健康情報を転送して健康情報記憶部１２８に記憶させることが可能であり、ユーザーも健康情報の受信が完了したことを視認することができる。
【００８９】
出力部は、効果音重畳部１１０からの出力信号を音声として出力する音声出力部１１５を備え、マイコン１２０は、映像信号による映像を表示部１１４に表示中に、健康機器１３０または健康機器１３１から健康情報を受信したとき、音声信号による音声に健康情報受信メッセージを重畳して音声出力部１１５に出力させるため、ユーザー以外の番組視聴を妨げることなく健康情報を転送して健康情報記憶部１２８に記憶させることが可能であり、ユーザーも健康情報の受信が完了したことを音で認識することができる。
【００９０】
健康情報受信メッセージは、テキスト、アイコン、合成音声のうちの少なくとも１つを使用して生成されるため、ユーザーは、健康情報の受信が完了したことを、直感的に（特にテキスト）、視聴を妨げず（特にアイコン）、離れた場所からでも（特に合成音声）認識することができる。
【００９１】
マイコン１２０は、特定時間帯のみ健康機器１３１との接続待機状態を保持するように無線インターフェイス１２７を制御するため、健康情報の転送前に健康機器１３１との接続に要する時間を短縮することが可能である。また、特定時間帯以外は、健康機器１３１との接続待機状態を解除するようにしたため、テレビジョン受信機１００における接続待機状態の消費電力を削減することができる。なお、マイコン１２０は、無線インターフェイス１２７を特定時間帯のみ通電し、接続待機状態を経ずに健康機器１３１と接続状態にしてもよい。すなわち、マイコン１２０は、特定時間帯であれば、常に健康機器１３１と接続を確立してもよい。この場合、マイコン１２０は、特定時間帯のみ健康機器１３１との接続状態を保持するように無線インターフェイス１２７を制御するため、テレビジョン受信機１００の消費電力を削減することができる。
【００９２】
ここで、特定時間帯が、２４時間よりも短い時間帯であり、かつ、開始時刻と終了時刻とで構成される場合は、ユーザーが健康機器１３１を使用する時間帯を予め設定しておくことで、無線接続を常時確立または待機する場合と比較して、テレビジョン受信機１００における接続待機状態の消費電力を効果的に削減することができる。
【００９３】
特定時間帯が、健康機器１３１とは異なる外部機器の操作時点から、一定時間経過するまでの時間帯である場合は、無線接続を常時確立または待機する場合と比較して、テレビジョン受信機１００における接続待機状態の消費電力を削減することができる。さらに、例えば、特定時間帯を、健康機器１３１を設置している部屋の照明機器操作時点から、一定時間経過するまでの時間帯とした場合は、事前にユーザーによる設定を行わずに、健康機器１３１を実際に使用する可能性がある時間帯を特定時間帯とすることができるため、消費電力の削減を簡単に実現できる。
【００９４】
特定時間帯が、テレビジョン受信機１００に対する特定操作を実施した時点から、一定時間経過するまでの時間帯である場合、無線接続を常時確立または待機する場合と比較して、テレビジョン受信機１００における接続待機状態の消費電力を削減することができる。さらに、特定時間帯に関して事前にユーザーによる設定を行う必要がないため、消費電力の削減を簡単に実現できる。
【００９５】
グラフィックス重畳部１０９による映像信号、または効果音重畳部１１０による音声信号に対する健康情報取得メッセージの重畳は、有線インターフェイス１２６に健康機器１３０が接続され、健康情報が受信されてから一定時間経過するまでの間行われるとともに、無線インターフェイス１２７に健康機器１３１が接続され、健康情報が受信されてから一定時間経過するまでの間行われるため、ユーザーは健康情報を受信したことを確実に認識することができるとともに、健康情報取得メッセージの重畳を停止させるユーザーの手間をなくすことができる。
【００９６】
なお、本発明は、その発明の範囲内において、実施の形態を適宜、変形、省略することが可能である。
【産業上の利用可能性】
【００９７】
本発明は、健康管理機能を有するハードディスク内蔵のデジタル放送テレビジョン受信機などに利用することができる。すなわち、本発明は、番組を受信して画面に表示するだけでなく、外部の健康機器と連携して健康情報を記録し、管理する機器に応用できる。
【符号の説明】
【００９８】
１００  テレビジョン受信機、１１４  表示部、１１５  音声出力部、１２０  マイコン、１２６  有線インターフェイス、１２７  無線インターフェイス、１２８  健康情報記憶部、１３０  健康機器、１３１  健康機器。
【図１】
2018050321.tif 000003
【図２】
2018050321.tif 000004
【図３】
2018050321.tif 000005
【図４】
2018050321.tif 000006